(57)【要約】【課題】家族の少ない家庭にあっては、入浴時の介護、ベッドなどへの上がり下りなどをはじめとする被介護者に対する様々な介護行為は、ほとんど不可能である。【解決手段】ベースフレーム部２と、支柱部３と、ブーム部４と、ウインチ部５と、モッコ部６と、サポート部７から構成され、支柱部の伸縮、ブーム部の旋回、ウインチ部の操作により、重度身体障害などの被介護者を乗せたモッコ部を所望する箇所に移動させることで、住居内での入浴時の補助、べッドへの上がり下り時の補助、屋外での自動車への乗り降り時の補助などを行なうことができるものである。【選択図】      図１
0003106918.tif 000002
【実用新案登録請求の範囲】
【請求項１】
ベースフレーム部（２）と、支柱部（３）と、ブーム部（４）と、ウインチ部（５）と、モッコ部（６）と、サポート部（７）から構成され、
ベースフレーム部（２）は、平面方形に構成されたフレーム本体（２Ａ）と、フレーム本体に連設された前方左右のアウトリガー（２Ｂ）、後方左右のアウトリガー（２Ｂ）と、各アウトリガーの先端下面に昇降調整自在の状態で設けられたキャスター（２Ｃ）から構成され、
支柱部（３）は、ベースフレーム部の上面中央に植設された円筒状の固定支柱（３Ａ）と、固定支柱に対して昇降自在に連結された昇降支柱（３Ｃ）と、昇降支柱に対して回転自在に連結された旋回支柱（３Ｄ）から構成され、
ブーム部（４）は、基本ブーム（４Ａ）と、基本ブームに対して進退自在に構成されたブーム（４Ｂ）から構成され、基本ブーム（４Ａ）の内方端は旋回支柱（３Ｄ）に第３ピン（Ｐ５）で連結され、かつ第３ピン（Ｐ５）を支点として、基本ブーム（４Ａ）とブーム（４Ｂ）を所望する角度に保持可能に構成され、
ウインチ部（５）は、ブーム部（４）の先端下面に位置する吊り上げフックを有する可動滑車（５Ｄ）を滑車機構により昇降するよう構成され、
モッコ部（６）は、平面方形の網（６Ａ）と、網の四隅に取付けたひも（６Ｂ）と、ひもの上端に連結された支持用横棒（６Ｃ）から構成され、支持用横棒の上面中央には可動滑車（５Ｄ）の吊り上げフック（５Ｄ１）に係脱するフック（６Ｃ１）が突出され、
サポート部（７）は、内方パイプ（７Ａ）と、内方パイプに進退自在の状態で挿入された外方パイプ（７Ｂ）と、内方パイプの内方端に連設された固定支柱に脱着可能のバンド金具（７Ｃ）と、外方パイプ（７Ｂ）の先端に設けた押さえ板（７Ｄ）から構成されていることを特徴とする移動式介護補助吊り上げ装置。
【請求項２】
ベースフレーム部（２）と、支柱部（３）と、ブーム部（４）と、ウインチ部（５）と、モッコ部（６）と、サポート部（７）から構成され、
ベースフレーム部（２）は、フレーム本体（２Ａ）と、前方左右のアウトリガー（２Ｂ）、後方左右のアウトリガー（２Ｂ）から構成され、
フレーム本体（２Ａ）は、平面方形に構成され、
前方左右のアウトリガー（２Ｂ）は、それぞれ伸縮調整自在に構成され、内方端はフレーム本体（２Ａ）における前左右隅部分に縦支点ピン（Ｐ１）で角度調整自在に連結され、後方左右のアウトリガー（２Ｂ）は、それぞれ伸縮調整自在に構成され、内方端はフレーム本体（２Ａ）における後方左右隅部分に縦支点ピン（Ｐ１）で角度調整自在に連結され、各アウトリガー（２Ｂ）の先端とフレーム本体（２Ａ）の前後辺に、高さ調整のできるキャスター（２Ｃ）が設置され、各アウトリガー（２Ｂ）は、内方のアウトリガーケース（２Ｂ１）と、これに対して進退するアウトリガー体（２Ｂ２）と、これらを所望する長さで固定する長さ調整ピン（Ｐ２）から構成され、フレーム本体（２Ａ）と各アウトリガー（２Ｂ）間には、長溝を有する角度調整板（２Ｄ）が配置され、角度調整板の内方端はピン（２Ｄ１）でフレーム本体（２Ａ）に連結され、角度調整板の長溝側は調整ノブ（２Ｄ２）でアウトリガーケース（２Ｂ１）に連結され、
支柱部（３）は、ベースフレーム部の上面中央に植設された円筒状の固定支柱（３Ａ）と、固定支柱（３Ａ）内にベースフレーム部と第１ピン（Ｐ３）で連結収納された上方に向け作用する電動シリンダー（３Ｂ）と、固定支柱（３Ａ）内の上方部分に上方から挿入され、かつ電動シリンダー（３Ｂ）と第２ピン（Ｐ４）で連結された昇降支柱（３Ｃ）と、昇降支柱（３Ｃ）の上端に回転自在に嵌着されたキャップ体（３Ｄ１）と、キャップ体の上面に植設された旋回支柱（３Ｄ）から構成され、
ブーム部（４）は、角パイプで構成された内方の基本ブーム（４Ａ）と、基本ブーム（４Ａ）に対して外方から進退自在に挿入された角パイプで構成されたブーム（４Ｂ）と、これら両者内に配設されたブームスライド用電動シリンダー（４Ｃ）から構成され、基本ブーム（４Ａ）の内方端は旋回支柱（３Ｄ）に第３ピン（Ｐ５）で連結され、さらに、旋回支柱（３Ｄ）の上面に植設した支点用ブラケット（４Ｄ）と、基本ブーム（４Ａ）にピンで連結された斜め後上方に向けたアーム（４Ｅ）との間にブーム角度調整用ネジ棒（４Ｆ）が掛架螺合され、
ウインチ部（５）は、旋回支柱の下部に設けたウインチドラム（５Ａ）と、ウインチドラムの上方に設けた第１滑車（５Ｂ）と、ブーム部（４）の先端に設けた第２滑車（５Ｃ）と、第２滑車の下方に位置するフックを有する可動滑車（５Ｄ）と、ウインチドラム（５Ａ）から第１滑車（５Ｂ）、第２滑車（５Ｃ）、可動滑車（５Ｄ）を経由してブーム部の先端に連結されているワイヤ（５Ｅ）から構成され、
モッコ部（６）は、平面方形の網（６Ａ）と、網の四隅に取付けたひも（６Ｂ）と、ひもの上端に連結された支持用横棒（６Ｃ）から構成され、支持用横棒の上面中央には可動滑車（５Ｄ）の吊り上げフック（５Ｄ１）に係脱するフック（６Ｃ１）が突出され、
サポート部（７）は、内方パイプ（７Ａ）と、内方パイプに進退自在の状態で挿入された外方パイプ（７Ｂ）と、内方パイプの内方端に連設された固定支柱に脱着可能のバンド金具（７Ｃ）と、外方パイプ（７Ｂ）の先端に水平に設けた押さえ板（７Ｄ）から構成されていることを特徴とする移動式介護補助吊り上げ装置。
【考案の詳細な説明】
【技術分野】
【０００１】
本考案は、新規な構成を有する移動式介護補助吊り上げ装置に関するものである。
特に、重度身体障害などの被介護者の住居内での入浴時の補助、べッドへの上がり下り時の補助、屋外での自動車への乗り降り時の補助などに好適なものである。
【背景技術】
【０００２】
従来のこの種の技術は、下記のようになっている。
家族の少ない家庭にあっては、入浴時の介護をはじめとする被介護者に対する様々な介護行為は、ほとんど不可能であると云わざるを得ないのが実態である。
このようなことから、下記のような提案がなされている。
Ａ．ホテルなどの宿泊施設、一般家庭の住宅に後付け可能に構成された簡易設置式リフト装置「特許文献１」。
Ｂ．壁面に取付けるよう構成された介護用リフト「特許文献２」。
Ｃ．患者の身体の屈曲を利用する省力介護移動装置「特許文献３」。
【特許文献１】特開２０００−１６６９９３号公報
【特許文献２】特開平１１−０８９８９３号公報
【特許文献３】特開平０９−０６６０７５号公報
【考案の開示】
【考案が解決しようとする課題】
【０００３】
従来の技術には、一応下記のような問題点を指摘することができる。
特許文献１にあっては、後付け可能に構成されているので、宿泊施設あるいは住宅に、当該簡易設置式リフト装置を支持する強度を必要とする。
また、当該簡易設置式リフト装置を設置してしまうと移動、移転が容易ではない。
特許文献２にあっては、壁面に取付けるよう構成されているので、堅牢な壁面が必要となる。
また、当該介護用リフトを設置してしまうと移動、移転が容易ではない。
特許文献３にあっては、患者の身体の屈曲を利用するよう構成されているので、身体の屈曲を行うことのできない被介護者に対しては使用できない。
【課題を解決するための手段】
【０００４】
本考案は、上述のような問題を解決するため、下記のようになるものである。
【０００５】
請求項１記載の考案は、ベースフレーム部２と、支柱部３と、ブーム部４と、ウインチ部５と、モッコ部６と、サポート部７から構成され、
ベースフレーム部２は、平面方形に構成されたフレーム本体２Ａと、フレーム本体に連設された前方左右のアウトリガー２Ｂ、後方左右のアウトリガー２Ｂと、各アウトリガーの先端下面に昇降調整自在の状態で設けられたキャスター２Ｃから構成され、
支柱部３は、ベースフレーム部の上面中央に植設された円筒状の固定支柱３Ａと、固定支柱に対して昇降自在に連結された昇降支柱３Ｃと、昇降支柱に対して回転自在に連結された旋回支柱３Ｄから構成され、
ブーム部４は、基本ブーム４Ａと、基本ブームに対して進退自在に構成されたブーム４Ｂから構成され、基本ブーム４Ａの内方端は旋回支柱３Ｄに第３ピンＰ５で連結され、かつ第３ピンＰ５を支点として、基本ブーム４Ａとブーム４Ｂを所望する角度に保持可能に構成され、
ウインチ部５は、ブーム部４の先端下面に位置する吊り上げフックを有する可動滑車５Ｄを滑車機構により昇降するよう構成され、
モッコ部６は、平面方形の網６Ａと、網の四隅に取付けたひも６Ｂと、ひもの上端に連結された支持用横棒６Ｃから構成され、支持用横棒の上面中央には可動滑車５Ｄの吊り上げフック５Ｄ１に係脱するフック６Ｃ１が突出され、
サポート部７は、内方パイプ７Ａと、内方パイプに進退自在の状態で挿入された外方パイプ７Ｂと、内方パイプの内方端に連設された固定支柱に脱着可能のバンド金具７Ｃと、外方パイプ７Ｂの先端に設けた押さえ板７Ｄから構成されていることを特徴とするものである。
【０００６】
請求項２記載の考案は、ベースフレーム部２と、支柱部３と、ブーム部４と、ウインチ部５と、モッコ部６と、サポート部７から構成され、
ベースフレーム部２は、フレーム本体２Ａと、前方左右のアウトリガー２Ｂ、後方左右のアウトリガー２Ｂから構成され、
ａ．フレーム本体２Ａは、平面方形に構成され、
ｂ．前方左右のアウトリガー２Ｂは、それぞれ伸縮調整自在に構成され、内方端はフレーム本体２Ａにおける前左右隅部分に縦支点ピンＰ１で角度調整自在に連結され、後方左右のアウトリガー２Ｂは、それぞれ伸縮調整自在に構成され、内方端はフレーム本体２Ａにおける後方左右隅部分に縦支点ピンＰ１で角度調整自在に連結され、各アウトリガー２Ｂの先端とフレーム本体２Ａの前後辺に、高さ調整のできる公知のキャスター２Ｃが設置され、各アウトリガー２Ｂは、内方のアウトリガーケース２Ｂ１と、これに対して進退するアウトリガー体２Ｂ２と、これらを所望する長さで固定する長さ調整ピンＰ２から構成され、フレーム本体２Ａと各アウトリガー２Ｂ間には、長溝を有する角度調整板２Ｄが配置され、角度調整板の内方端はピン２Ｄ１でフレーム本体２Ａに連結され、角度調整板の長溝側は調整ノブ２Ｄ２でアウトリガーケース２Ｂ１に連結され、
ｃ．支柱部３は、ベースフレーム部の上面中央に植設された円筒状の固定支柱３Ａと、固定支柱３Ａ内にベースフレーム部と第１ピンＰ３で連結収納された上方に向け作用する電動シリンダー３Ｂと、固定支柱３Ａ内の上方部分に上方から挿入され、かつ電動シリンダー３Ｂと第２ピンＰ４で連結された昇降支柱３Ｃと、昇降支柱３Ｃの上端に回転自在に嵌着されたキャップ体３Ｄ１と、キャップ体の上面に植設された旋回支柱３Ｄから構成され、
ｄ．ブーム部４は、角パイプで構成された内方の基本ブーム４Ａと、基本ブーム４Ａに対して外方から進退自在に挿入された角パイプで構成されたブーム４Ｂと、これら両者内に配設されたブームスライド用電動シリンダー４Ｃから構成され、基本ブーム４Ａの内方端は旋回支柱３Ｄに第３ピンＰ５で連結され、さらに、旋回支柱３Ｄの上面に植設した支点用ブラケット４Ｄと、基本ブーム４Ａにピンで連結された斜め後上方に向けたアーム４Ｅとの間にブーム角度調整用ネジ棒４Ｆが掛架螺合され、
ｅ．ウインチ部５は、旋回支柱の下部に設けたウインチドラム５Ａと、ウインチドラムの上方に設けた第１滑車５Ｂと、ブーム部４の先端に設けた第２滑車５Ｃと、第２滑車の下方に位置するフックを有する可動滑車５Ｄと、ウインチドラム５Ａから第１滑車５Ｂ、第２滑車５Ｃ、可動滑車５Ｄを経由してブーム部の先端に連結されているワイヤ５Ｅから構成され、
ｆ．モッコ部６は、平面方形の網６Ａと、網の四隅に取付けたひも６Ｂと、ひもの上端に連結された支持用横棒６Ｃから構成され、支持用横棒の上面中央には可動滑車５Ｄの吊り上げフック５Ｄ１に係脱するフック６Ｃ１が突出され、
ｇ．サポート部７は、内方パイプ７Ａと、内方パイプに進退自在の状態で挿入された外方パイプ７Ｂと、内方パイプの内方端に連設された固定支柱に脱着可能のバンド金具７Ｃと、外方パイプ７Ｂの先端に水平に設けた押さえ板７Ｄから構成されていることを特徴とするものである。
【考案の効果】
【０００７】
本考案は、上述のように構成されているので、下記のような効果を期待することができる。
【０００８】
Ａ．設置について
ベースフレーム部２における前方左右のアウトリガー２Ｂ、後方左右のアウトリガー２Ｂに配設された高さ調整のできるキャスター２Ｃを利用して、設置を所望する例えば浴槽あるいはベッドの近傍位置、自動車の乗車位置に設置することができる。
この場合、キャスター２Ｃの高さを調整できるよう構成されているので、床面の不陸に対応することができる。
また、後方左右のアウトリガー２Ｂによって、本装置全体の確実な起立状態を保持することができる。
さらに、設置場所の状態によっては、図８の如く必要に応じてサポート部を使用し、本装置全体の確実な起立状態を保持することができる。
【０００９】
Ｂ．介護行為について
イ．入浴時について
ａ．被介護者Ｈを浴槽における洗い場から浴槽に移動させる場合
ブーム部４を旋回支柱３Ｄを中心に回動させ、洗い場の上方に位置するようセットする。
ウインチ部５の操作により、モッコ部６を所望する高さに位置させる。
モッコ部６に被介護者Ｈが腰を掛ける状態で乗る。
ブーム部４を回動させ、浴槽の上方に位置させたのち、ウインチ部５の操作により、モッコ部６を浴槽内に降下させ、被介護者を浴槽底部に位置させる。
ｂ．被介護者Ｈを浴槽から洗い場に移動させようとする場合
上述した被介護者を洗い場から浴槽に移動させる場合とは逆の作業を行なうことになる。
【００１０】
ロ．ベッドへの上がり下りや自動車などへの乗り降りについて
ａ．ベッドへ上がる場合や自動車などに乗る場合
ブーム部４とウインチ部５の操作により、モッコ部６を所望する高さに位置させる。
モッコ部６に被介護者Ｈが腰を掛ける状態で乗る。
ブーム部４やウインチ部５の操作により、ベッドの上や自動車の座席上にモッコ部６を降下させ、被介護者をベッドの上や自動車の座席上に移動させる。
ｂ．ベッドから下りる場合や自動車などから降りる場合
上述したベッドへ上がる場合や自動車などに乗る場合とは逆の作業を行なうことになる。
【００１１】
Ｃ．上述した介護行為に際して、モッコ部の昇降はウインチ部の操作により行なうよう構成されているので、軽作業により簡単かつ確実に行なうことができる。
また、ブーム部の回動操作も旋回支柱を中心に行なうよう構成されているから、これも軽作業により簡単かつ確実に行なうことができる。
【考案を実施するための最良の形態】
【００１２】
図面を参照して実施の形態の詳細を説明する。
１は本考案の移動式介護補助吊り上げ装置である。
その構成は下記の通りである。
ベースフレーム部２と、支柱部３と、ブーム部４と、ウインチ部５と、モッコ部６と、サポート部７から構成されている。
【００１３】
ベースフレーム部２は、フレーム本体２Ａと、前方左右のアウトリガー２Ｂ、後方左右のアウトリガー２Ｂから構成されている。
【００１４】
ａ．フレーム本体２Ａは、平面方形に構成されている。
ｂ．前方左右のアウトリガー２Ｂは、それぞれ伸縮調整自在に構成され、内方端はフレーム本体２Ａにおける前左右隅部分に縦支点ピンＰ１で角度調整自在に連結されている。
後方左右のアウトリガー２Ｂは、それぞれ伸縮調整自在に構成され、内方端はフレーム本体２Ａにおける後方左右隅部分に縦支点ピンＰ１で角度調整自在に連結されている。
各アウトリガー２Ｂの先端とフレーム本体２Ａの前後辺に、高さ調整のできる公知のキャスター２Ｃが設置されている。
図中、２Ｃ１は高さ調整ボルト、２Ｃ２はロックナットで、これらの操作で適宜の高さに固定することができる。
【００１５】
各アウトリガー２Ｂは、内方のアウトリガーケース２Ｂ１と、これに対して進退するアウトリガー体２Ｂ２と、これらを所望する長さで固定する長さ調整ピンＰ２から構成されている。
フレーム本体２Ａと各アウトリガー２Ｂ間には、長溝を有する角度調整板２Ｄが配置され、角度調整板の内方端はピン２Ｄ１でフレーム本体２Ａに連結され、角度調整板の長溝側は調整ノブ２Ｄ２でアウトリガーケース２Ｂ１に連結されている。
この角度調整板２Ｄと調整ノブ２Ｄ２により各アウトリガーを所望する角度に固定することができる。
【００１６】
ｃ．支柱部３は、ベースフレーム部の上面中央に植設された円筒状の固定支柱３Ａと、固定支柱３Ａ内にベースフレーム部と第１ピンＰ３で連結収納された上方に向け作用する電動シリンダー３Ｂと、固定支柱３Ａ内の上方部分に上方から挿入され、かつ電動シリンダー３Ｂと第２ピンＰ４で連結された昇降支柱３Ｃと、昇降支柱３Ｃの上端に回転自在に嵌着されたキャップ体３Ｄ１と、キャップ体の上面に植設された旋回支柱３Ｄから構成されている。
【００１７】
ｄ．ブーム部４は、角パイプで構成された内方の基本ブーム４Ａと、基本ブーム４Ａに対して外方から進退自在に挿入された角パイプで構成されたブーム４Ｂと、これら両者内に配設されたブームスライド用電動シリンダー４Ｃから構成され、基本ブーム４Ａの内方端は旋回支柱３Ｄに第３ピンＰ５で連結されている。
なお、図中、Ｐ６はブームスライド用電動シリンダー４Ｃと基本ブーム４Ａを連結するピンで、Ｐ７はブームスライド用電動シリンダー４Ｃとブーム４Ｂを連結する第４ピンである。
【００１８】
さらに、旋回支柱３Ｄの上面に植設した支点用ブラケット４Ｄと、基本ブーム４Ａにピンで連結された斜め後上方に向けたアーム４Ｅとの間に、ブーム角度調整用ネジ棒４Ｆが掛架螺合されている。
この結果、ブーム角度調整用ネジ棒に連設したハンドル４Ｆ１を利用して操作することで、第３ピンＰ５を支点として、基本ブーム４Ａとブーム４Ｂを所望する角度に保持することができる。
【００１９】
ｅ．ウインチ部５は、旋回支柱の下部に設けたウインチドラム５Ａと、このウインチドラムの上方に設けた第１滑車５Ｂと、ブーム部４の先端に設けた第２滑車５Ｃと、第２滑車の下方に位置するフックを有する可動滑車５Ｄと、ウインチドラム５Ａから第１滑車５Ｂ、第２滑車５Ｃ、可動滑車５Ｄを経由してブーム部の先端に連結されているワイヤ５Ｅから構成されている。
【００２０】
ｆ．モッコ部６は、平面方形の網６Ａと、網の四隅に取付けたひも６Ｂと、ひもの上端に連結された支持用横棒６Ｃから構成され、支持用横棒の上面中央には可動滑車５Ｄの吊り上げフック５Ｄ１に係脱するフック６Ｃ１が突出されている。
【００２１】
ｇ．サポート部７は、内方パイプ７Ａと、内方パイプに進退自在の状態で挿入された外方パイプ７Ｂと、内方パイプの内方端に連設された固定支柱に脱着可能のバンド金具７Ｃと、外方パイプ７Ｂの先端に水平に設けた押さえ板７Ｄから構成されている。
図中、７Ａ１は内方パイプの外方端に設けたネジで、外方パイプを所望する位置で固定するよう構成されている。
このサポート部７は、アウトリガーを広げることのできない浴室などで転倒防止用として使用する。
【図面の簡単な説明】
【００２２】
【図１】全体の斜視図である。
【図２】一部を切り欠いた側面図である。
【図３】アウトリガーの縦断面図である。
【図４】アウトリガーの角度調整状態を説明する平面図である。
【図５】アウトリガーを用いたベースフレーム部の高さ調整状態を説明する側面図である。
【図６】分解した斜視図である。
【図７】使用状態の一例を説明する斜視図である。
【図８】使用状態の一例を説明する側面図である。
【符号の説明】
【００２３】
１  移動式介護補助吊り上げ装置
２  ベースフレーム部
３  支柱部
４  ブーム部
５  ウインチ部
６  モッコ部
７  サポート部
【図１】
0003106918.tif 000003
【図２】
0003106918.tif 000004
【図３】
0003106918.tif 000005
【図４】
0003106918.tif 000006
【図５】
0003106918.tif 000007
【図６】
0003106918.tif 000008
【図７】
0003106918.tif 000009
【図８】
0003106918.tif 000010